(57)【要約】【課題】計量皿に生じる過荷重、つまり衝撃荷重から計量機構を保護した上で秤の収納を可能にした、秤ホルダーの提供。【解決手段】上下に伸びる板状の基礎壁部４と、基礎壁部４から前方に延出する底部５と、基礎壁部４の左右両端縁部４ｂ、４ｃの前方に延出する左右一対の側壁部６，７と、基礎壁部４、底部５、一対の側壁部６，７に囲まれた領域である収納領域１１と、基礎壁４、一対の側壁部６，７の各上端縁部４ｄ、６ｂ、７ｂから形成される開口部１０と、を有し、計量皿と計量ユニットを有する秤を収納領域１１に保持するケース部２を備えた、秤用ホルダー１であって、ケース部２の内周面から突設され、開口部１０から収納領域１１へ秤を挿入する際に計量皿と計量ユニットの間に差し込まれる荷重受け部８と、吊下げ部３と、をケース部２に有するようにした。【選択図】図３
2015158415.tif 000002
【特許請求の範囲】
【請求項１】
上下に伸びる板状の基礎壁部と、基礎壁部から前方に延出する底部と、基礎壁部の左右両端縁部から前方にそれぞれ延出する左右一対の側壁部と、基礎壁部、底部、一対の側壁部に囲まれた領域に形成される収納領域と、基礎壁、一対の側壁部の各上端縁部によって形成される開口部と、を有し、計量皿と計量ユニットを有する秤を収納領域に保持するためのケース部を備えた、秤用ホルダーであって、
ケース部の内周面から突出するように設けられ、開口部から収納領域へ秤を挿入する際に計量皿と計量ユニットの間に差し込まれる荷重受け部と、
吊下げ部と、をケース部に有することを特徴とする、秤用ホルダー。
【請求項２】
前記荷重受け部は、ケース部の左右一対の側壁部からそれぞれ内側に突出して互いに対向する第一及び第二の立壁部を含むことを特徴とする、請求項１に記載の秤用ホルダー。
【請求項３】
前記荷重受け部は、ケース部の側壁部の上端縁部から形成されることを特徴とする、請求項１または２に記載の秤用ホルダー
【請求項４】
前記荷重受け部は、ケース部の底部から上方に突出して設けられる第三の立壁部を含むことを特徴とする、請求項１から３のうちいずれかに記載の秤用ホルダー
【請求項５】
前記ケース部は、ケース部の前端縁部に設けられることを特徴とする、請求項１から４のうちいずれかに記載の秤用ホルダー。
【発明の詳細な説明】
【技術分野】
【０００１】
本発明は、計量を行う秤を保持するための秤用ホルダーに関する技術である。
【背景技術】
【０００２】
秤については、置き場所が問題になる。使用しないときには、邪魔にならない所に収納し、使用する際には速やかに取り出したい。下記特許文献１の秤には、秤本体の裏側に回動自在なフックが設けられており、使用しないときには、フックを利用して秤を壁等に吊下げておくことが出来る。
【先行技術文献】
【特許文献】
【０００３】
【特許文献１】特開２０１３−１１３７３０号公報
【発明の概要】
【発明が解決しようとする課題】
【０００４】
秤は、一般に精密な計量機構を備えている。例えば、キッチン周りでの作業中に秤の計量皿に物を勢いよくぶつけてしまったり、秤を戸棚の扉に吊り下げた状態で扉を勢いよく開閉すると、衝撃を受けた計量皿が、計量機構を内蔵した計量ユニットに対して動くことがある。その結果、計量ユニット内の計量機構は、計量皿から受けた過荷重、即ち衝撃荷重によって破損することがある。
【０００５】
特許文献１に記載された秤は、内部に計量機構を計量ユニットに対して動作可能な計量皿がむき出しで配置されているため、計量皿に衝撃が加わることで計量機構に伝達される過荷重に対して無防備な点で問題がある。
【０００６】
本願の秤ホルダーは、このような問題に鑑み、計量皿に生じる過荷重、つまり衝撃荷重から計量機構を保護した上で秤の収納を可能にした、秤ホルダーを提供するものである。
【課題を解決するための手段】
【０００７】
請求項１の秤用ホルダーは、上下に伸びる板状の基礎壁部と、基礎壁部から前方に延出する底部と、基礎壁部の左右両端縁部から前方にそれぞれ延出する左右一対の側壁部と、基礎壁部、底部、一対の側壁部に囲まれた領域に形成される収納領域と、基礎壁、一対の側壁部の各上端縁部によって形成される開口部と、を有し、計量皿と（内側に計量機構を有する）計量ユニットを有する秤を収納領域に保持するためのケース部を備えた、秤用ホルダーであって、ケース部の内周面から突出するように設けられ、開口部から収納領域へ秤を挿入する際に計量皿と計量ユニットの間に差し込まれる荷重受け部と、吊下げ部と、をケース部に有するようにした。
【０００８】
（作用）ケース部の開口部から収納領域に秤を挿入すると、秤は、ケース部の荷重受け部を計量ユニットと計量皿との間に差し込まれた状態でケース部の収納領域に保持される。また、ケース部は、吊下げ部によって壁面や戸棚の扉等に吊下げられる。計量皿に物がぶつかる等によって計量皿が衝撃を受けても、計量皿は、計量ユニットとの間に差し込まれた荷重受け部に接触するため、計量ユニットに対して移動出来ない。その結果、計量皿に発生した衝撃荷重は、荷重受け部に伝達されることで、計量ユニット内の計量機構に伝達されにくくなる。
【０００９】
請求項２は、請求項１の秤用ホルダーにおいて、前記荷重受け部は、ケース部の左右一対の側壁部からそれぞれ内側に突出して互いに対向する第一及び第二の立壁部を含むようにした。
【００１０】
（作用）ケース部の収納領域に秤を収納すると、左右一対の側壁部から内側にそれぞれ突出する荷重受け部である一対の立壁部が、それぞれ左右方向から秤の計量皿と計量ユニットとの間に挿入される。ケース部の収納領域に収納された計量皿は、左右一対の荷重受け部に接触することで、衝撃荷重を受けても、基礎壁部に対して平行に保持されるため、計量皿に発生した衝撃荷重は、計量ユニット内の計量機構に更に伝達されにくくなる。
【００１１】
請求項３は、請求項１または２に記載の秤用ホルダーにおいて、前記荷重受け部が、ケース部の側壁部の上端縁部から形成されるようにした。
【００１２】
（作用）荷重受け部が、ケース部側壁部の上端縁部、つまり開口縁部に形成されるため、つまり開口部の近くに形成されるため、秤を開口部からケース部の収納領域に挿入する際に荷重受け部を秤の計量皿と計量ユニットの間に挿入しやすくなる。また、荷重受け部が計量皿と計量ユニットの間をスライドすることにより、秤が収納領域にスムーズに挿入される。
【００１３】
請求項４は、請求項１から３のうちいずれかに記載の秤用ホルダーにおいて、  前記荷重受け部は、ケース部の底部から上方に突出して設けられる第三の立壁部を含むようにした。
【００１４】
（作用）ケース部の開口部から収納領域に秤を挿入すると、秤は、ケース部の底部から上方に突出する荷重受け部を計量ユニットと計量皿との間に差し込まれた状態でケース部の収納領域に保持され、計量皿は、衝撃荷重を受けても荷重受け部に接触するため、計量ユニットに対して移動出来ない。計量皿に発生した衝撃荷重は、荷重受け部に伝達されて、計量ユニット内の計量機構に伝達されにくくなる。
【００１５】
請求項５は、請求項１から４のうちいずれかに記載の秤用ホルダーにおいて、前記ケース部は、ケース部の前端縁部に設けられるようにした。
【００１６】
（作用）ケース部の開口部から収納領域に秤を挿入すると、秤は、ケース部の前端縁部に設けられた荷重受け部を計量ユニットと計量皿との間に差し込まれた状態でケース部の収納領域に保持され、計量皿は、衝撃荷重を受けても荷重受け部に接触するため、計量ユニットに対して移動出来ない。計量皿に発生した衝撃荷重は、荷重受け部に伝達されて、計量ユニット内の計量機構に伝達されにくくなる。
【発明の効果】
【００１７】
請求項１の秤用ホルダーによれば、収納された秤の計量皿に衝撃荷重が発生しても計量機構に伝達されにくいため、計量機構が破損せず、壁面や戸棚に吊下げられた状態で秤が秤用ホルダーに収納されるため、邪魔にならない。
【００１８】
請求項２の秤用ホルダーによれば、計量皿に衝撃荷重が発生しても更に計量機構に伝達されにくくなるため、計量機構が破損しない。
【００１９】
請求項３の秤用ホルダーによれば、ケース部の開口部に形成された荷重受け部が、収納領域に秤を挿入するためのガイドレールのような作用を発生するため、秤をケース部の収納領域に収納しやすくなる。
【００２０】
請求項４の秤用ホルダーによれば、計量皿に衝撃荷重が発生しても計量機構に伝達されにくいため、計量機構が破損しない。
【００２１】
請求項５の秤用ホルダーによれば、計量皿に衝撃荷重が発生しても計量機構に伝達されにくいため、計量機構が破損しない。
【図面の簡単な説明】
【００２２】
【図１】本願の秤用ホルダーの第一実施例を前方から見た斜視図である。
【図２】第一実施例の秤用ホルダーと収納前の秤を示す斜視図である。
【図３】第一実施例の秤用ホルダーへの秤の収納状況を示す斜視図である。
【図４】秤を収納した第一実施例の秤用ホルダーの平面図である。
【図５】第二実施例の秤用ホルダーと収納前の秤を示す斜視図である。
【図６】秤を収納した第二実施例の秤用ホルダーの平面図である。
【図７】（ａ）第一実施例及び第二実施例の秤用ホルダーを戸棚の扉に取り付けた状態を示す説明図である。（ｂ）（ａ）図の扉を開いた状態を示す説明図である。
【発明を実施するための形態】
【００２３】
次に、本願発明に係る秤用ホルダーの第一実施例を各図によって説明する。
【００２４】
尚、各図においては、秤用ホルダー１の各方向をそれぞれ、（上方向：下方向：左方向：右方向：前方向：後方向＝Ｕｐ：Ｌｏ：Ｌｅ：Ｒｉ：Ｆｒ：Ｒｅ）方向をとして説明を行なう。
【００２５】
図１から図４及び図７に示される第一実施例の秤用ホルダー１は、ケース部２とケース部２を戸棚や壁などに吊下げる左右一対の吊下部３によって構成される。
【００２６】
図１に示されるケース部２は、基礎壁部４、底部５、左側壁部６、右側壁部７、及び荷重受け部８によって構成される。基礎壁部４は、板状で上下方向に延びるように配置される。底部５は、基礎壁部４の下端縁部４ａに一体に形成されると共に下端縁部４ａから前方に延出する。左側壁部６は、基礎壁部４の左端縁部４ｂ及び底部５の左端縁部５ａに一体に形成されると共に左端縁部４ｂから前方に延出する。右側壁部７は、基礎壁部４の右端縁部４ｃ及び底部５の右端縁部５ｂに一体に形成されると共に右端縁部４ｃから前方に延出する。
【００２７】
荷重受け部８は、底部５，左側壁部６及び右側壁部７の内周面から内側に突出するように、底部５の前端縁部５ｃ、左側壁部６の前端縁部６ａ、右側壁部７の前端縁部７ａにそれぞれ一体に形成されると共に基礎壁部４と平行な前壁部として形成される。また荷重受け部８は、上端縁部８ａの中央から下方に延びる切欠部９を有する。
【００２８】
ケース部２の上端には、開口部１０が形成される。開口部１０は、基礎壁部４の上端縁部４ｄ、左側壁部６の上端縁部６ｂ、右側壁部７の上端縁部７ｂ、及び荷重受け部８の上端縁部８ａによって形成される。また、ケース部２の内側には、開口部１０と切欠部９にそれぞれ連通する、秤の収納領域１１が形成される。収納領域１１は、基礎壁部４、底部５、左側壁部６及び右側壁部７の内側に形成される。
【００２９】
一対の吊下部３は、基礎壁部４の上端縁部４ｄに一体に設けられ、下方に向かって凹となるフック形状を有する。図７（ａ）（ｂ）に示すように秤用ホルダー１は、フック形状の吊下部３を戸棚２１の扉２２などの上端部２２ａに引っ掛けることにより、扉の内側などの壁面に吊下げられる。
【００３０】
次に図２から図４により、秤用ホルダー１への秤の収納方法を説明する。秤用ホルダー１には、図４に示すように計量ユニット１７と計量皿１８との間に隙間１９を有する秤１６が収納される。計量皿１８には、計量ユニット１７に対して進退可能な支柱２０が設けられ、計量皿１８は、天面１８ａに荷重を受けることで、支柱２０と共に計量ユニットに対して進退動作する。計量皿１８の天面１８ａに作用した荷重は、支柱を介して計量ユニットの内側に設けられた計量機構（図示せず）に伝達されることにより、重量を計測される。一方、計量皿１８の天面１８ａに物が衝突すること等により、計量皿１８から計量ユニット１７の計量機構に衝撃荷重が伝達された場合には、計量機構が破損するおそれがある。第一実施例の秤用ホルダー１に収納された秤１６は、計量皿１８に作用した衝撃荷重が計量機構に伝達されないように保持される。
【００３１】
ここで、説明上、図２から図４において、切欠部９の左側に位置する、荷重受け部８の左壁部を左壁部８ｂとし、切欠部９の右側に位置すると共に左壁部８ｂの右方に対向する、荷重受け部８の右壁部を及び右壁部８ｃとし、切欠部９の下に位置する、荷重受け部８の下壁部を下壁部８ｄとし、計量ユニット１７と計量皿１８との間に形成される隙間１９において、支柱２０の左右に形成される隙間をそれぞれ隙間（１９ａ、１９ｂ）とし、支柱２０の下方に形成される隙間を隙間１９ｃとする。
【００３２】
図２に示すように、秤用ホルダー１には、計量ユニット１７の先端部１７ａを下に向けて、天面１８ａが直立するように秤１６を立てて収納する。具体的には、ケース部２の荷重受け部８の左右の上端縁部（８ａ，８ａ）を秤１６の計量ユニット１７と計量皿１８との左右の隙間（１９ａ、１９ｂ）の下から差込んだ状態で、計量ユニット１７の先端部１７ａをケース部２の開口部１０から収納領域に向けて下向きに挿入する。
【００３３】
計量ユニット１７の先端部１７ａがケース部２の底部５に接触すると、秤１６は、図３及び図４に示すように計量ユニット１７と計量皿１８との間の左右の隙間（１９ａ、１９ｂ）に荷重受け部８の左右壁部（８ｂ、８ｃ）がそれぞれ挿入され、かつ下の隙間１９ｃに荷重受け部８の下壁部８ｄがそれぞれ挿入された状態でケース部に保持される。
【００３４】
秤１６を収納した秤用ホルダー１においては、図３及び図４に示すように計量ユニット１７と計量皿との間の隙間１９にケース部２の荷重受け部８が挿入されている。従って、計量皿１８と支柱２０は、計量皿１８が荷重受け部８に接触することにより計量ユニット１７に対して進退動作出来ない状態に保持されるため、計量皿１８と支柱２０に衝撃荷重が作用しても、前記衝撃荷重は、計量ユニット１７内の計量機構（図示せず）ではなく、計量皿１８に接触する荷重受け部８を介してケース部２に伝達される。その結果、仮に、図７各図に示すように戸棚２１の扉２２に吊下げた状態で扉２２を勢いよく開閉したり、計量皿１８の天面１８ａに物がぶつかることによる衝撃荷重が計量皿１８及び支柱２０に作用しても、計量ユニット１７内の計量機構（図示せず）は、前記衝撃荷重を伝達されないため、壊れにくい。
【００３５】
次に、本願発明に係る秤用ホルダーの第二実施例を各図によって説明する。
【００３６】
図５から図７に示される第二実施例の秤用ホルダー３１は、ケース部３２と吊下部３３によって構成される。
【００３７】
ケース部３２は、第一実施例のケース部２の底部５，左側壁部６及び右側壁部７をそれぞれ荷重受け部８の更に前方に延出させた形状を有すると共に、底部５，左側壁部６及び右側壁部７のそれぞれの先端部に連続する前壁部４５を設けた形状を有する。言い換えると、ケース部３２は、基礎壁部３４、底部３５、左側壁部３６、右側壁部３７及び前壁部４５によって箱形に形成されると共に、基礎壁部３４、底部３５、左側壁部３６、右側壁部３７及び前壁部４５の内側に形成された収納領域４１に基礎壁部３４と平行な荷重受け部３８を有する。荷重受け部３８は、第１実施例の荷重受け部８と同一形状であり、底部３５，左側壁部３６及び右側壁部３７の内周面に連続して形成され、底部３５，左側壁部３６及び右側壁部３７の内周面の内側に突出する。
【００３８】
また、ケース部３２には、図５及び図６に示すように第一実施例の秤用ホルダー１のケース部２におけるフック状の吊下部３に代えて、磁石からなる吊下部３３を設けている。吊下部３３は、複数の磁石から構成され、かつ基礎壁部３４の後方に露出するように基礎壁部３４に固定されている。その結果、ケース部３２は、磁石からなる吊下部３３によって金属製の壁や図７各図に示されるような戸棚２１の金属製の扉２３等に取り付けられる。
【００３９】
次に図５から図７により、秤用ホルダー３１への秤の収納方法を説明する。秤用ホルダー１にもまた、図５に示すように計量ユニット１７と計量皿１８との間に隙間１９を有する、第１実施例と同様の構成を備えた秤１６が収納される。
【００４０】
図５に示すように、基礎壁部３４、左側壁部３６、右側壁部３７及び荷重受け部３８の各上端縁部（３４ａ，３６ａ、３７ａ、３８ａ）によって形成される、ケース部３２の上端開口部を第一開口部３２ａとし、左側壁部３６、右側壁部３７、荷重受け部３８及び前壁部４５の各上端縁部（３６ａ、３７ａ、３８ａ、４５ａ）によって形成される、ケース部３２の上端開口部を第二開口部３２ｂとすると、秤１６は、計量ユニット１７の先端部１７ａを下に向け、計量ユニット１７をケース部３２の第一開口部３２ａに挿入し、かつ計量皿１８を第二開口部３２ｂに挿入することで、収納領域４１に収納される。
【００４１】
秤１６を収納した秤用ホルダー１においては、図６に示すように、計量ユニット１７と計量皿との間の隙間１９にケース部３２の荷重受け部３８が挿入されるため、計量皿１８と支柱２０は、計量皿１８が荷重受け部３８に接触することにより計量ユニット１７に対して進退動作出来ない状態に保持される。また、計量皿１８の前方には、ケース部３２の前壁部４５が計量皿１８から常に離間した位置に配置される。
【００４２】
その結果、前壁部４５に前方を覆われることにより、計量皿１８の天面１８ａには、物が衝突しないため、計量皿１８に衝撃荷重が作用しにくくなり、更に、計量皿１８が荷重受け部３８に接触することで、計量皿１８と支柱２０の計量ユニット１７に対する進退動作が妨げられるため、計量ユニット１７内の計量機構（図示せず）は、図７のように秤用ホルダー３１を取り付けた扉２３を勢いよく開閉しても、計量皿１８から衝撃荷重を伝達されにくいため、壊れにくい。
【００４３】
尚、秤用ホルダーの荷重受け部は、第一及び第二実施例の秤用ホルダー（１，３１）の荷重受け部（８、３８）に示すように、秤１６の計量皿１８との接触面積が広くなるように、左側壁部（６，３６）、底部（５，３５）及び右側壁部（７，３７）の内周面の全周に設けられることが望ましい。しかし、荷重受け部（８、３８）は、秤１６を秤用ホルダー（１，３１）のケース部（２、３２）に収納する際に計量ユニット１７と計量皿１８との間の隙間１９に挿入される位置であれば、左側壁部（６，３６）、底部（５，３５）及び右側壁部（７，３７）の内周面の一部に設けてもよい。隙間１９の一部にでも荷重受け部（８、３８）が挿入されていれば、計量ユニット１７に対する計量皿１８の進退を阻害するからである。
【００４４】
また、荷重受け部（８、３８）においては、左側壁部（６，３６）、底部（５，３５）及び右側壁部（７，３７）の内周面の一部または全周に設ける場合のいずれであっても、第一及び第二実施例に示すように上端縁部（８ａ，３８ａ）を左側壁部（６，３６）の上端縁部（６ｂ，３６ａ）及び右側壁部（７，３７）の上端縁部（７ｂ，３７ａ）から連続するように設けることが望ましい。その場合、荷重受け部（８、３８）は、ケース部（２、３２）の開口部（１０，３２ａ、３２ｂ）の一部を形成することにより、収納領域（１１，４１）に秤１６を挿入するためのガイドレールのような作用を発生するため、秤をケース部の収納領域（１１，４１）に収納しやすくなる。
【００４５】
また、第一実施例の秤用ホルダー１においては、フック形状の吊下げ部３の代わりに磁石からなる吊下部をケース部２の基礎壁部４に設けてもいいし、第二実施例の秤用ホルダー３１においては、磁石からなる吊下部３３の代わりにケース部３２の基礎壁部３４にフック状の吊下げ部を設けてもよい。また、第一及び第二実施例の秤用ホルダー（１，３１）においては、フック形状または磁石からなる吊下部に代えて基礎壁部（４，３４）の後面に吸盤を設けることにより、ケース部（２，３２）を壁面や扉等に吸着させても良い。
【符号の説明】
【００４６】
１            秤用ホルダー
２            ケース部
３            吊下げ部
４            基礎壁部
４ｂ、４ｃ    左右両端縁部
４ｄ          上端縁部
５            底部
６            左側壁部
６ｂ          上端得部
７            右側壁部
７ｂ          上端縁部
８            荷重受け部
８ａ          上端縁部
１０          開口部
１１          収納領域
３１          秤用ホルダー
３２          ケース部
３２ａ        第一開口部
３２ｂ        第二開口部
３３          吊下げ部
３４          基礎壁部
３４ａ        上端縁部
３５          底部
３６          左側壁部
３６ｂ        上端縁部
３７          右側壁部
３７ｂ        上端縁部
３８          荷重受け部
３８ａ        上端縁部
４１          収納領域
【図１】
2015158415.tif 000003
【図２】
2015158415.tif 000004
【図３】
2015158415.tif 000005
【図４】
2015158415.tif 000006
【図５】
2015158415.tif 000007
【図６】
2015158415.tif 000008
【図７】
2015158415.tif 000009